【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
流体圧センサであって、以下：
第１の膜を有するハウジング；
該ハウジングの内側に配置された変換器；
該ハウジングに取り外し可能に連結された流体入口および流体出口を備える本体；ならびに
該本体に設けられた第２の膜であって、該本体が該ハウジングに連結された場合、該第１の膜の少なくとも一部分と接触し、該第２の膜から該ハウジングに向かって突き出している一体型密閉部材を備える、第２の膜、
を備える、流体圧センサ。
【請求項２】
前記第２の膜が前記本体に圧嵌合する取付けリングを備える、請求項１に記載の流体圧センサ。
【請求項３】
前記第２の膜が、ブチルゴム、ネオプレン、ポリウレタン、Ｂｕｎａ−Ｎ、サラン、マイラー、金属のスパッターコーティング、金属フィルムおよびそれらの任意の組合せからなる群から選択される材料を含む、請求項１に記載の流体圧センサ。
【請求項４】
前記第２の膜が、第１の膜および第２の膜を含み、該第２の膜が該第１の膜よりも低い気体透過性を有する、請求項１に記載の流体圧センサ。
【請求項５】
前記一体型密閉部材が、前記第１の膜を取りまく前記ハウジングの表面を圧迫する、請求項１に記載の流体圧センサ。
【請求項６】
前記密閉部材が、Ｏリング、デルタリング、Ｄリング、Ｔリング、四角形リング、ローブ形リング、芯入りリング、中空リングおよびＫリングからなる群から選択される、請求項１に記載の流体圧センサ。
【請求項７】
流体圧センサであって、以下：
第１の膜を有するハウジング；
該ハウジングの内側に配置された変換器；
連結機構を介して該ハウジングに取り外し可能に連結された流体入口および流体出口を備える本体；
該本体に設けられた第２の膜であって、該本体が該ハウジングに連結された場合、該第１の膜の少なくとも一部分と接触する、第２の膜；および
該連結機構に加えて、該第２の膜と該第１の膜を取りまくハウジングの表面との間に局在化接触力を発生する、装置、
を備える、流体圧センサ。
【請求項８】
前記第２の膜が、ブチルゴム、ネオプレン、ポリウレタン、Ｂｕｎａ−Ｎ、サラン、マイラー、金属のスパッターコーティング、金属フィルムおよびそれらの任意の組合せからなる群から選択される材料を含む、請求項７に記載の流体圧センサ。
【請求項９】
前記装置が、前記ハウジングの表面の溝部、および該溝部を圧迫する前記第２の膜と一体的な密閉部材を含む、請求項７に記載の流体圧センサ。
【請求項１０】
前記溝部を規定する前記ハウジングの表面が金属である、請求項９に記載の流体圧センサ。
【請求項１１】
前記装置が、前記ハウジングの表面の溝部、および前記第２の膜と該溝部との間で圧迫される別個の密閉部材を含む、請求項７に記載の流体圧センサ。
【請求項１２】
前記ハウジングおよび前記本体が分離された場合、前記別個の密閉部材が前記溝部と圧嵌合する、請求項１１に記載の流体圧センサ。
【請求項１３】
前記装置が、前記第２の膜と接触している前記ハウジングの表面から延びる突出部分を含む、請求項７に記載の流体圧センサ。
【請求項１４】
前記表面および前記突出部分が金属である、請求項１３に記載の流体圧センサ。
【請求項１５】
前記装置が、前記本体の表面から延びる突出部分を含む、請求項７に記載の流体圧センサ。
【請求項１６】
流体圧センサであって、以下：
第１の表面および第１の膜を有するハウジング；
該ハウジングの内側に配置された変換器；
第２の表面、該ハウジングに取り外し可能に連結された流体入口および流体出口を備える本体；
該本体に設けられた第２の膜であって、該本体が該ハウジングに連結された場合、該第１の膜の少なくとも一部分と接触する、第２の膜；および
該第１の表面と該第２の表面との間に配置された密閉部材、
を備える、流体圧センサ。
【請求項１７】
前記第１の表面および第２の表面の１つが、前記密閉部材を収容する溝部を規定する、請求項１６に記載の流体圧センサ。
【請求項１８】
前記第２の膜が、ブチルゴム、ネオプレン、ポリウレタン、Ｂｕｎａ−Ｎ、サラン、マイラー、金属のスパッターコーティング、金属フィルムおよびそれらの任意の組合せからなる群から選択される材料を含む、請求項１６に記載の流体圧センサ。
【請求項１９】
流体圧センサであって、以下：
第１の膜を有するハウジング；
該ハウジングの内側に配置された変換器；
該ハウジングに取り外し可能に連結された流体入口および流体出口を備える本体；および
該本体に設けられた第２の膜であって、該本体が該ハウジングに連結された場合、該第１の膜の少なくとも一部分と接触し、標準温度および標準圧力でエチレンプロピレンジエンメチレン（「ＥＰＤＭ」）の少なくとも５分の１未満の空気透過性を有する合成的かつ電気抵抗性の材料から少なくとも部分的に構築された、第２の膜、
を備える、流体圧センサ。
【請求項２０】
前記材料が、ブチルゴムを含む、請求項１９に記載の流体圧センサ。
【請求項２１】
流体圧センサであって、以下：
第１の膜を取りまく表面を有するハウジング；
該ハウジングの内側に配置された変換器；
流体入口および流体出口を備え、該ハウジングに取り外し可能に連結するための手段を有する、本体；および
該本体に設けられた第２の膜であって、該本体が該ハウジングに連結された場合、該第１の膜の少なくとも一部分と接触し、第１の材料および第２の材料を含み、該第２の材料が該第１の材料よりも低い気体透過性を有する、第２の膜、を備える、流体圧センサ。
【請求項２２】
前記第２の材料が、第１の材料と接着される、請求項２１に記載の流体圧センサ。
【請求項２３】
前記第１の材料が、エチレンプロピレンジエンメチレン（ＥＰＤＭ）、シリコーン、ポリウレタンおよびそれらの任意の組合せからなる群から選択される、請求項２１に記載の流体圧センサ。
【請求項２４】
前記第２の部材が、金属箔、金属のスパッターコーティング、サラン、マイラー、ＳｉＯ２ガラスフィルム、ＥｖＯＨバリアフィルムおよびそれらの任意の組合せからなる群から選択される材料を含む、請求項２１に記載の流体圧センサ。
【請求項２５】
医療注入デバイスであって、以下：
エンクロージャ；および
該エンクロージャに取り付けられた圧力センサであって、該圧力センサが、以下：
第１の膜を有するハウジング、
該ハウジングの内側に配置された変換器、
該ハウジングに取り外し可能に連結された流体入口および流体出口を備える本体、
該本体に設けられた第２の膜であって、該本体が該ハウジングに連結された場合、該第１の膜の少なくとも一部分と接触する、第２の膜；および
該第２の膜と該第１の膜を取りまくハウジングの表面との間に局在化接触力を発生する装置、
を備える、圧力センサ、
を備える、医療注入デバイス。
【請求項２６】
前記ハウジングが、前記エンクロージャに取り付けられる、請求項２５に記載の医療注入デバイス。
【請求項２７】
透析デバイスであって、以下：
エンクロージャ；および
該エンクロージャに取り付けられた圧力センサであって、該圧力センサが、以下：
第１の膜を有するハウジング；
該ハウジングの内側に配置された変換器；
該ハウジングに取り外し可能に連結された流体入口および流体出口を備える本体；および
該本体に設けられた第２の膜であって、該本体が該ハウジングに連結された場合、該第１の膜の少なくとも一部分と接触し、標準温度および標準圧力でエチレンプロピレンジエンメチレン（「ＥＰＤＭ」）の少なくとも５分の１未満の空気透過性を有する合成的かつ電気抵抗性の材料から少なくとも部分的に構築された、第２の膜、
を備える、流体圧センサ、
そ備える、透析デバイス。
【請求項２８】
前記圧力センサが、血液、透析液、注入液、生理食塩水およびそれらの任意の組合せからなる群から選択される流体の圧力をモニタリングする、請求項２７に記載の透析デバイス。